(57)【要約】【課題】記録媒体が封筒である場合であっても、定着部での定着品質を低下させることなく、シワの発生を防止できる挟持搬送装置を提供する。【解決手段】封筒Ｐのフラップ部を閉じて、封筒Ｐの短い辺を通紙先頭として通紙する挟持搬送装置１００であって、第１の回転体１０２Ａと、表面に画像が形成される封筒Ｐが通過し、第１の回転体１０２Ａとの間で搬送する第２の回転体１０２Ｂと、第１の回転体１０２Ａおよび第２の回転体１０２Ｂの何れか一方を他方に対して押圧させる押圧手段と、封筒Ｐを通紙する際に第１の回転体１０２Ａもしくは第２の回転体１０２Ｂの速度を各々調整することができる速度調整機構と、搬送される封筒Ｐに関する情報に基づいて、速度調整機構による第１の回転体１０２Ａもしくは第２の回転体１０２Ｂの速度を制御する制御手段と、を有する。【選択図】図５
2014219651.tif 000002
【特許請求の範囲】
【請求項１】
封筒のフラップ部を閉じて、該封筒の短い辺を通紙先頭として通紙する挟持搬送装置であって、
第１の回転体と、
表面に画像が形成される前記封筒が通過し、前記第１の回転体との間で搬送する第２の回転体と、
前記第１の回転体および前記第２の回転体の何れか一方を他方に対して押圧させる押圧手段と、
前記封筒を通紙する際に前記第１の回転体もしくは前記第２の回転体の速度を各々調整することができる速度調整機構と、
前記搬送される封筒に関する情報に基づいて、前記速度調整機構による前記第１の回転体もしくは前記第２の回転体の速度を制御する制御手段と、
を有することを特徴とする挟持搬送装置。
【請求項２】
前記封筒のフラップ形状情報および封筒印字面情報を記憶できる封筒情報記憶部を有することを特徴とする請求項１記載の狭持搬送装置。
【請求項３】
前記制御手段は前記封筒を通紙する際に、前記封筒印字面情報に基づき、フラップ面が第１回転体側の場合、第２回転体側の速度を早くすることを特徴とする請求項１または２記載の狭持搬送装置。
【請求項４】
前記制御手段は前記封筒を通紙する際に、前記封筒の印字面情報に基づき、フラップ面が第２回転体面側の場合、第１回転体側の速度を早くすることを特徴とする請求項１または２記載の狭持搬送装置。
【請求項５】
前記制御手段はフラップ形状に基づき、第１回転体と第２回転体の速度を変更することを特徴とする請求項１または２記載の狭持搬送装置。
【請求項６】
前記第１の回転体および前記第２の回転体の少なくとも何れかを加熱する加熱手段が配設され、
前記制御手段は、前記搬送される封筒に関する情報に基づいて前記加熱手段による加熱を制御することを特徴とする請求項１〜５のいずれか１項に記載の挟持搬送装置。
【請求項７】
請求項１〜６のいずれか１項に記載の挟持搬送装置を備えることを特徴とする画像形成装置。
【発明の詳細な説明】
【技術分野】
【０００１】
本発明は、画像を定着させる定着部に搬送される記録媒体に対して前処理を行う挟持搬送装置、およびその挟持搬送装置を備えた画像形成装置に関する。
なお、本明細書における記録媒体は、例えば封筒、普通紙、各種のコート紙、葉書等の厚紙、各種フィルムなどを含むこととする。
【背景技術】
【０００２】
近年、複写機やプリンタのカラー化、高速化、および高画質化が進んでいる。このため、特にオンディマンド出版物の分野では、比較的手軽で、また小部数への対応が可能であるところから、これまで印刷法で作成してきた出版物をカラー複写機やカラープリンタで作成する傾向が顕著になってきている。
また、商品の付加価値向上の為、各種さまざまな記録媒体への画像形成が求められ、近年では封筒などへの画像形成も電子写真方式を用いたプリンタで可能な構成が知られている。
【０００３】
封筒のうち閉じている側の部位をボトム部（底部）とする。また、閉じていない側にフラップ部（のりしろ部分）が設けられる。封筒は裏側の貼り合せ位置も様々であり、電子写真方式でプリントする場合、定着部でのシワ、フラップズレの問題を回避するため、搬送方向について色々な制約がある。一般的には、封筒のボトム部を搬送方向上流側に配置して通紙する。このような配置とすることで、シワの発生を抑えることができる。フラップ部が搬送方向下流に配置されることで、定着部でニップされた時に、空気の逃げ道がある為、シワの発生が抑制されるためである。
【０００４】
こうした封筒への画像形成を行う技術として、特許文献１〜３が知られている。
特許文献１は、封筒の搬送方向の長さ、搬送方向と直角方向の長さに応じて、定着装置のニップ部を形成する２つのローラ間での定着加重と定着線速度を低下させる制御を行う構成を記載している。
【０００５】
特許文献２は、記録媒体としてフラップ糊付き封筒が設定された場合に、定着装置のニップ部を形成する加熱定着手段における温度制御を行う制御手段を備えた構成を記載している。
【０００６】
特許文献３は、記録媒体が封筒である場合に、定着装置のニップ部を形成する定着部材と加圧部材の間の加圧力を低下させると共に、定着温度を普通紙の場合よりも上昇させる制御について記載している。
【発明の概要】
【発明が解決しようとする課題】
【０００７】
しかしながら、封筒への画像形成を行う場合、封筒のサイズによっては、ボトム部を搬送方向上流側に配置できない場合もあり、画像形成の対象としうる封筒が限定されてしまう課題があった。
【０００８】
ここで発生する課題の１つとしてフラップズレがある。封筒は用紙が折り畳まれて表裏２枚の用紙が重ねられた構成となっているうえに、用紙の厚みも普通紙に比べて厚い。このため、特に定着装置におけるニップ部の幅を広く取った構成の場合、封筒定着時に定着部材側の紙と加圧部材側の紙とで、微妙な線速差や、紙を幅方向に開こうとする力の差が生まれるおそれがある。そして封筒の左右両端において吸収しきれなくなった封筒表裏の用紙の搬送速度の差は、フラップズレによる紙シワの発生という形で現れる。
【０００９】
上述した特許文献１〜３は、こうした封筒への画像形成を行う場合に、定着装置のニップ部での加圧力を低下させたり、封筒のための温度制御をしたりするが、定着部での加圧力や温度設定を変化させることとなる。このため、特に高速機で封筒への画像形成を行う場合、定着部での定着品質を低下させてしまうおそれがあった。
【００１０】
本発明はこのような状況に鑑みてなされたものであり、記録媒体が封筒である場合であっても、定着部での定着品質を低下させることなく、シワの発生を防止できる挟持搬送装置を提供することを目的とする。
【課題を解決するための手段】
【００１１】
かかる目的を達成するために、本発明に係る挟持搬送装置は、封筒のフラップ部を閉じて、該封筒の短い辺を通紙先頭として通紙する挟持搬送装置であって、第１の回転体と、表面に画像が形成される前記封筒が通過し、前記第１の回転体との間で搬送する第２の回転体と、前記第１の回転体および前記第２の回転体の何れか一方を他方に対して押圧させる押圧手段と、前記封筒を通紙する際に前記第１の回転体もしくは前記第２の回転体の速度を各々調整することができる速度調整機構と、前記搬送される封筒に関する情報に基づいて、前記速度調整機構による前記第１の回転体もしくは前記第２の回転体の速度を制御する制御手段と、を有することを特徴とする。
【発明の効果】
【００１２】
以上のように、本発明によれば、記録媒体が封筒である場合であっても、定着部での定着品質を低下させることなく、シワの発生を防止できる。
【図面の簡単な説明】
【００１３】
【図１】本発明の実施形態としての画像形成装置の構成例を示す断面図である。
【図２】該画像形成装置における制御に関する構成例を示すブロック図である。
【図３】該画像形成装置における挟持搬送装置の構成例を示す断面図である。
【図４】封筒にフラップズレが生じるローラ回転数を示す図である。
【図５】封筒の向きによる上下ローラのローラ回転数のテーブルを示す図である。
【図６】封筒のフラップ長さと上下ローラのローラ回転数のテーブルを示す図である。
【図７】封筒の通紙向きと上下ローラの回転数設定値とのテーブルを示す図である。
【図８】封筒の通紙向き、封筒フラップ部の糊有無と、最適なローラ表面温度のテーブルを示す図である。
【発明を実施するための形態】
【００１４】
次に、本発明に係る挟持搬送装置を適用した一実施形態について、図面を用いて詳細に説明する。
【００１５】
本実施形態は、電子写真方式を用いてトナー画像を記録媒体上に形成し、定着装置で加熱してトナー画像を定着させる画像形成装置、およびその画像形成装置に用いられる挟持搬送装置に関する。本実施形態における画像形成装置は、例えば複写機、プリンタ、ファクシミリ装置あるいはこれらの複合機等を含むものである。
【００１６】
図１に、本実施形態における挟持搬送装置を備えた画像形成装置の概略構成例を示す。
図１に示す画像形成装置２００は、装置本体中央部に位置する画像形成部２００Ａと、該画像形成部２００Ａの下方に位置する給紙部２００Ｂと、画像形成部２００Ａの上方に位置する図示しない画像読取部を有する高速機である。
【００１７】
画像形成部２００Ａには、水平方向に延びる転写面を有する中間転写ベルト２１３が配置されており、この中間転写ベルト２１３の上面には、色分解色と補色関係にある色の画像を形成するための構成が設けられている。すなわち、補色関係にある各色のトナー（イエロー、マゼンタ、シアン、ブラック）による像を担持可能な像担持体としての感光体２０５Ｙ、２０５Ｍ、２０５Ｃ、２０５Ｋが中間転写ベルト２１３の転写面に沿って並置されている。
【００１８】
各感光体２０５Ｙ、２０５Ｍ、２０５Ｃ、２０５Ｋはそれぞれ同じ方向に回転可能なドラムで構成される。回転方向は、図１の例では反時計回り方向として示す。感光体２０５それぞれの周りには、回転過程において画像形成処理を実行する光書き込み装置２０１と、帯電装置２０２Ｙ，２０２Ｍ，２０２Ｃ，２０２Ｋと、現像装置２０３Ｙ，２０３Ｍ，２０３Ｃ，２０３Ｋと、１次転写装置２０４Ｙ，２０４Ｍ，２０４Ｃ，２０４Ｋと、クリーニング装置とが配置されている。
【００１９】
また、各現像装置２０３Ｙ，２０３Ｍ，２０３Ｃ，２０３Ｋには、それぞれのカラートナーが収容されている。中間転写ベルト２１３は、駆動ローラと従動ローラに掛け回されて感光体２０５Ｙ、２０５Ｍ、２０５Ｃ、２０５Ｋとの対峙位置において同方向に移動可能な構成を有している。また、中間転写ベルト２１３が掛け回される複数の従動ローラの１つである従動ローラ２１４に対向する位置に、トナー像を記録媒体に転写する転写部である二次転写ローラ２１５が設けられている。
【００２０】
一方、給紙トレイ２２０内部に積載された記録媒体としての封筒Ｐは、ピックローラ２２１によって取り出され、搬送ローラ２２２によって、搬送経路Ｒ１をレジストレーションローラ２２３、及び二次転写ローラ２１５に向かう方向に搬送される。
【００２１】
また、画像形成装置２００は、制御に関する構成として、図２に示すように、タッチパネル等による操作表示部３０１と、ＣＰＵなどにより構成されるコントローラ部３０２と、制御に用いる各種情報を記憶する記憶部３０３と、を備える。記憶部３０３は、後述する回転数テーブルα３１１と、フラップ長さテーブル３１２と、回転数テーブルβ３１３と、加熱テーブル３１４と、を格納する。
【００２２】
画像形成対象として搬送される記録媒体の紙種等の各種情報は、操作表示部３０１からのユーザ入力等により予めコントローラ部３０２に入力される。
記録媒体が封筒の場合、封筒の搬送方向、搬送する向き、封筒の種類についてもこの操作表示部３０１から入力される。封筒の搬送方向については、封筒のボトム部を搬送方向の上流側に配置して搬送するか、ボトム部を搬送方向と略直交する方向に向けて搬送するかの設定を行う。
封筒を搬送する向きについては、貼り合わせ部分のない宛名面を上側とするか下側とするかの設定を行う。通常、この宛名面がフラップ部の延設されるフラップ面となる。
封筒の種類としては、フラップ部に糊が付設されているかどうかの設定を行う。
【００２３】
また、コントローラ部３０２は、温度センサ１０６により検知される温度情報に基づいて、加熱手段であるハロゲンヒータ１０５の加熱を制御できるよう構成される。このため、搬送される記録媒体が封筒の場合、コントローラ部３０２が挟持搬送装置１００の上側ローラ１０２Ａの設定温度を変更できるようになっている。
【００２４】
また、上側ローラ１０２Ａを回転駆動させる上側駆動モータ３０４と、下側ローラ１０２Ｂを回転駆動させる下側駆動モータ３０５とが、各々独立した駆動モータとして設けられる。このことにより、コントローラ部３０２が上側駆動モータ３０４、下側駆動モータ３０５それぞれのモータ回転数を微調整することで、封筒に対して、最適な条件で通紙できるようになっている。
【００２５】
このことにより、封筒Ｐとして折り畳まれた表裏の用紙が重なった部分の密着性をあげて、さらにフラップ折り部が閉じられた封筒の場合にはその部分の密着性をあげることが可能となる。またフラップ部に糊が付いている封筒の場合には、加熱部の設定温度によって、手で簡単に剥がせるレベルまで軽微に貼り付けるようにする。このことにより、封筒Ｐとして折り畳まれた表裏の用紙間のズレが無い状態で定着部に封筒Ｐを搬送することが可能となる。
【００２６】
本実施形態の画像形成装置２００における画像形成に当たっては、感光体２０５Ｙの表面が帯電装置２０２Ｙにより一様に帯電され、画像読取部からの画像情報に基づいて感光体２０５Ｙ上に静電潜像が形成される。該静電潜像はイエローのトナーを収容した現像装置２０３Ｙによりトナー像として可視像化され、該トナー像は所定のバイアスが印加される１次転写装置２０４Ｙにより中間転写ベルト２１３上に１次転写される。他の感光体２０５Ｍ、２０５Ｃ、２０５Ｋでもトナーの色が異なるだけで同様の画像形成がなされ、それぞれの色のトナー像が中間転写ベルト２１３上に静電気力で順に転写されて重ね合わせられる。
【００２７】
次に、感光体２０５Ｙ、２０５Ｍ、２０５Ｃ、２０５Ｋから中間転写ベルト２１３上に１次転写されたトナー像は、転写部としての二次転写ローラ２１５および従動ローラ２１４により、搬送されてきた記録媒体Ｐに転写される。トナー像が転写された記録媒体Ｐは、さらに定着装置２０６まで搬送され、定着ベルト２０９と加圧ローラ２１０との定着ニップ部にて定着が行なわれる。
【００２８】
定着装置２０６は、定着ローラ２０７及び加熱ローラ２０８に一定のテンションで架け渡された定着ベルト２０９と、加圧ローラ２１０とにより、トナー像を記録媒体に定着させる定着部である定着ニップ部を形成する。定着ベルト２０９は熱によりトナーを記録媒体に定着させるための定着部材であり、加圧ローラ２１０は、その定着ベルト２０９に対して下側で回転自在に圧接し定着ニップ部Ｎを形成する加圧部材である。
【００２９】
定着ベルト２０９は無端ベルトであり、断面構造としては、例えばニッケル、ステンレス、ポリイミドなどの基材にシリコンゴム層などの弾性層を形成した２層構造となっている。加熱ローラ２０８は、アルミ又は鉄の中空ローラで内部にハロゲンヒータなどのヒータ２０８ｈからなる熱源を有している。
【００３０】
ついで、定着ニップ部から排出された封筒Ｐは、排出経路に沿ってスタッカ２１６へ送り出される。
【００３１】
図３は、本実施形態の挟持搬送装置１００を示す断面図である。
図３に示す挟持搬送装置１００は、図１に示す画像形成装置２００内の搬送経路Ｒ１におけるレジストレーションローラ２２３の上流側、すなわち定着装置２０６や二次転写ローラ２１５よりも上流側に配置されている。この挟持搬送装置１００は、一対のローラである上側ローラ１０２Ａ、下側ローラ１０２Ｂと、記録媒体を案内する用紙ガイド１０３Ａ、１０３Ｂ、１０４Ａ、１０４Ｂと、上側ローラ１０２Ａを支持するフレーム１０１とを備える。また、上側ローラ１０２Ａ内部にハロゲンヒータ１０５を備えると共に、上側ローラ１０２Ａの温度を検知する温度センサ１０６を上側ローラ１０２Ａの外側近傍に備えている。
【００３２】
挟持搬送装置１００は、搬送経路Ｒ１により搬送されてくる封筒Ｐを、まず用紙ガイド１０３Ａ、１０３Ｂの間に案内させ、補助搬送ローラ１０７Ａ、１０７Ｂの間を通過させた後、上側ローラ１０２Ａ、下側ローラ１０２Ｂの間を通過させ、後段に排出する。
【００３３】
コントローラ部３０２は、上側ローラ１０２Ａの内部にあるハロゲンヒータ１０５の加熱レベルを調整し、ローラ表面の温度をコントロールする。ローラ表面の温度に関しては、操作表示部３０１で設定された封筒の搬送方向、搬送する向き、封筒の種類の情報に基づき、設定温度を決定するようになっている。
【００３４】
上側ローラ１０２Ａ、下側ローラ１０２Ｂは、記録媒体の搬送経路を上下から挟む位置に互いに対向して設けられている。上側ローラ１０２Ａ、下側ローラ１０２Ｂは、周面が周回移動する第１の回転体および第２の回転体としてそれぞれ機能し、回転軸が略平行となるよう配置される。略平行とは、なるべく平行に近いことが好ましい。
【００３５】
上側ローラ１０２Ａ、下側ローラ１０２Ｂは、ともに駆動ローラであり、上側ローラ１０２Ａは、上側駆動モータ３０４により駆動されて回転する。下側ローラ１０２Ｂは、下側駆動モータ３０５により駆動されて回転する。こうして回転する上側ローラ１０２Ａ、下側ローラ１０２Ｂでの接触により、挟持搬送装置１００は記録媒体を下流側へと搬送する。
【００３６】
一対の補助搬送ローラ１０７Ａ、１０７Ｂは、記録媒体を挟んで搬送する部材であり、上側ローラ１０２Ａおよび下側ローラ１０２Ｂの間が離間した状態であっても、補助搬送ローラ１０７Ａ、１０７Ｂによって記録媒体が搬送される。一対の補助搬送ローラのうち上側補助搬送ローラ１０７Ａは駆動ローラであり、下側補助搬送ローラ１０７Ｂは従動ローラである。上側補助搬送ローラ１０７Ａは、上側ローラ１０２Ａと連動して回転する図示しない歯車を介して駆動される。
【００３７】
下側ローラ１０２Ｂは、上側ローラ１０２Ａに向かう荷重が付与されており、上側ローラ１０２Ａと下側ローラ１０２Ｂに挟まれた状態で封筒Ｐが搬送される。上側ローラ１０２Ａは図示しない軸受により支持され、この軸受はフレーム１０１に固定されている。下側ローラ１０２Ｂは軸受１０８によって支持され、軸受１０８は外側アーム１０９に下側から支持されている。
【００３８】
軸受１０８は、下側フレーム１１５のＵ字の溝により横方向の移動が拘束され、上下方向に移動可能となっている。外側アーム１０９、内側アーム１１０は、アームの支点１１１を中心に回転可能である。内側アームには、軸受１０２が固定されており、軸受１０２はカム１１３と接している。また、外側アーム１０９と内側アーム１１０の間にはバネ部材１１４が設けられる。このため、カム１１３が図２中で反時計方向に回転すると内側アーム１１０が支点１１１を中心に図２に示す矢印Ｃ方向に回転し、バネ部材１１４に荷重がかかる。そしてバネ部材１１４の反発力により外側アーム１０９が支点１１１を中心に図２に示す矢印Ｃ方向に回転する力が働き、外側アーム１０９により下側ローラ１０２Ｂが持ち上がる。こうして、上側ローラ１０２Ａと下側ローラ１０２Ｂが圧接した状態となる。
【００３９】
上側ローラ１０２Ａと下側ローラ１０２Ｂが圧接した状態で、封筒Ｐがその圧接部を通過することで、封筒Ｐとして折り畳まれた表裏の用紙における重なり部分の密着度が増し、定着部に搬送される。このことにより、定着部で発生される封筒シワ、フラップズレを抑制することが可能となる。
【００４０】
また、本実施形態の狭持搬送装置では、上述したコントローラ部３０２が上側駆動モータ３０４および下側駆動モータ３０５の回転駆動を制御することにより、上側ローラ１０２Ａ、下側ローラ１０２Ｂの回転数を各々調整することができる構成となっている。上側駆動モータ３０４および下側駆動モータ３０５はそれぞれ、通常回転数に対して、例えば±１０％の範囲で可変できるものとなっている。
【００４１】
（第１の実施形態）
図４は、封筒Ｐにフラップズレが生じるローラ回転数を示す図である。図４（ａ）は、宛名面が上側ローラ面側で通紙される場合である。上側ローラ１０２Ａと下側ローラ１０２Ｂの回転数は、１０６ｒｐｍで同一である。宛名面（フラップ面）と宛名面の裏面の速度差でフラップズレが発生する。
【００４２】
図４（ｂ）は、宛名面が下側ローラ面側で通紙される場合である。上側ローラ１０２Ａと下側ローラ１０２Ｂの回転数は、１００ｒｐｍで同一である。宛名面（フラップ面）と宛名面の裏面の速度差でフラップズレが発生する。
【００４３】
本実施形態の狭持搬送装置では、上側ローラ１０２Ａ、下側ローラ１０２Ｂの回転数を封筒の宛名面の配置によって変更する駆動制御ができるようになっている。図５は、封筒Ｐの向きによる上下ローラのローラ回転数のテーブルを示す図である。
【００４４】
回転数テーブルα３１１は、記憶部３０３に予め記憶される。コントローラ部３０２は、入力された記録媒体の情報に基づいて図５に示す回転数テーブルα３１１の情報を参照し、上側ローラ１０２Ａ、下側ローラ１０２Ｂそれぞれの回転数を設定する。
【００４５】
図５（ａ）は、宛名面が上側ローラ面側で通紙される場合である。上側ローラ１０２Ａの回転数は１０９ｒｐｍであり、下側ローラ１０２Ｂの回転数は１０６ｒｐｍである。上側ローラ１０２Ａの回転数と下側ローラ１０２Ｂの回転数を変えることにより、フラップズレが無くなる。
【００４６】
図５（ｂ）は、宛名面が下側ローラ面側で通紙される場合である。上側ローラ１０２Ａの回転数は１０６ｒｐｍであり、下側ローラ１０２Ｂの回転数は１０９ｒｐｍである。上側ローラ１０２Ａの回転数と下側ローラ１０２Ｂの回転数を変えることにより、フラップズレが無くなる。
【００４７】
上側ローラもしくは下側ローラの速度を各々調整することができる速度調整機構を有し、速度を調整することによって、定着前の封筒のフラップ部の状態を最適化することで、定着部で発生させるシワ、フラップズレを抑制することができる。
【００４８】
また、封筒の各種情報が記憶される記憶部をコントローラ側に有している。必要な情報としては、封筒サイズ、フラップ開閉情報、封筒通紙方向、フラップ部長さである。これらの情報が記憶部で記憶されることにより、各種通紙モードでフラップズレを定着部で発生させないようにするために、狭持搬送装置で最適なローラ速度に調整されることになる。
【００４９】
図６は、封筒Ｐのフラップ長さと上下ローラのローラ回転数のテーブルを示す図である。フラップ長さテーブル３１２は、記憶部３０３に予め記憶される。コントローラ部３０２は、入力された記録媒体の情報に基づいて図６に示すフラップ長さテーブル３１２の情報を参照し、上側ローラ１０２Ａ、下側ローラ１０２Ｂそれぞれの回転数を設定する。
【００５０】
図６（ａ）は、フラップ長さが短い場合である。宛名面が上側ローラ面側で通紙される場合である。フラップ長さは１５ｍｍである。上側ローラ１０２Ａの回転数は１０８ｒｐｍであり、下側ローラ１０２Ｂの回転数は１０６ｒｐｍである。上側ローラ１０２Ａの回転数と下側ローラ１０２Ｂの回転数との差は２ｒｐｍである。
【００５１】
図６（ｂ）は、フラップ長さが中間の場合である。宛名面が上側ローラ面側で通紙される場合である。フラップ長さは２０ｍｍである。上側ローラ１０２Ａの回転数は１０９ｒｐｍであり、下側ローラ１０２Ｂの回転数は１０６ｒｐｍである。上側ローラ１０２Ａの回転数と下側ローラ１０２Ｂの回転数との差は３ｒｐｍである。
【００５２】
図６（ｃ）は、フラップ長さが長い場合である。宛名面が上側ローラ面側で通紙される場合である。フラップ長さは２５ｍｍである。上側ローラ１０２Ａの回転数は１１０ｒｐｍであり、下側ローラ１０２Ｂの回転数は１００ｒｐｍである。上側ローラ１０２Ａの回転数と下側ローラ１０２Ｂの回転数との差は１０ｒｐｍである。
【００５３】
例えば、宛名面が上側ローラ側で通紙される場合には、通紙時にフラップがずれる現象が発生してしまう。これは、宛名面が拘束される辺が少ないために発生する現象である。このズレを抑制するため、上側ローラもしくは下側ローラの速度を各々調整することができる速度調整機構を有し、宛名面が上側ローラ側の場合、上側ローラ側の速度を早くする。これにより、折り目に沿って、狭持搬送装置で折り目が付けられ、封筒が定着部に搬送されるため、定着部で発生させるフラップズレを抑制することができる。
【００５４】
また、フラップ長さにより、上側ローラと下側ローラの回転数差を変更することで、ズレの少ない封筒印刷が可能となる。特にフラップ長さが長いものは上側ローラと下側ローラの速度差を大きくし、フラップ長さが短いものは速度差を小さくすることで、安定した封筒搬送品質を保つことが可能となる。
【００５５】
（第２の実施形態）
本実施形態の狭持搬送装置では、上側ローラ１０２Ａ、下側ローラ１０２Ｂの回転数を封筒Ｐのフラップ面の配置によって変更する駆動制御ができるようになっている。図７は、封筒Ｐの通紙向きと上下ローラの回転数設定値とのテーブルを示す図である。
回転数テーブルβ３１３は、記憶部３０３に予め記憶される。コントローラ部３０２は、入力された記録媒体の情報に基づいて図７に示す回転数テーブルβ３１３の情報を参照し、上側ローラ１０２Ａ、下側ローラ１０２Ｂそれぞれの回転数を設定する。
【００５６】
コントローラ部３０２は、図７（ｃ）に示すように、封筒Ｐの搬送方向が、ボトム部を搬送方向と略直交する方向に向けて搬送される設定で、かつ搬送する向きの設定が宛名面を上側である場合、上側ローラ１０２Ａの回転数を速くする。図７の例では、上側ローラ１０２Ａの回転数をデフォルト設定より１％速くする場合の例を示す。
【００５７】
このように、上側ローラ１０２Ａおよび下側ローラ１０２Ｂの内、宛名面側のローラの回転数を速くすることで、特にフラップ部が折り込まれている封筒の場合には、フラップズレを抑制することができる。フラップズレの抑制は、例えば、フラップが外側にずれて折られることを抑制するものである。
【００５８】
搬送経路における定着装置よりも上流側の狭持搬送装置１００で封筒に対してこうした前処理を行い、通紙することにより、特にボトム部が横向きの場合、封筒Ｐとして折り畳まれた表裏の用紙における重なり部分の密着性を最適化することができる。さらに折り部分（フラップ部）を折り目に沿って綺麗に折ることが可能となる。
【００５９】
また、本実施形態の狭持搬送装置では、搬送される記録媒体が封筒である場合、封筒の搬送方向、搬送する向き、封筒の種類の情報に基づいて、上側ローラ１０２Ａ内部にあるハロゲンヒータ１０５の加熱レベルをコントローラ部３０２がコントロールする。図８は、封筒の通紙向き、封筒フラップ部の糊有無と、上側ローラ１０２Ａの表面温度の最適な条件に関するテーブルを示す図である。
加熱テーブル３１４は、記憶部３０３に予め記憶される。コントローラ部３０２は、入力された記録媒体の情報に基づいて図８に示す加熱テーブル３１２の情報を参照し、上側ローラ１０２Ａ内部にあるハロゲンヒータ１０５の加熱レベルをコントロールする。
【００６０】
コントローラ部３０２は、図８（ｇ）（ｈ）に示すように、封筒の搬送方向が、ボトム部を搬送方向と略直交する方向に向けて搬送される設定で、かつフラップ部に糊が付設されて折り込まれた封筒である場合、ハロゲンヒータ１０５を所定温度に加熱させる。図８（ｇ）は、搬送する向きの設定が宛名面を上側の場合を示し、図８（ｈ）は、搬送する向きの設定が宛名面を下側の場合を示す。
また、図８の例では、温度センサ１０６の検知温度により８０℃に加熱する場合の設定例を示す。
【００６１】
このように、上側ローラ１０２Ａの加熱手段であるハロゲンヒータ１０５を使って、軽微にフラップ部の糊を加熱し、封筒の綴じ代部を軽微な力で付着させることにより、より最適な状態で封筒を定着部に搬送させ、フラップズレを解消することができる。
【００６２】
一方、図８（ａ）（ｂ）（ｅ）（ｆ）のように、封筒の搬送方向が、ボトム部を搬送方向の上流側に向けて搬送される設定など、フラップ部が開いている場合、狭持搬送装置１００の圧接部のみで前処理を行う。また、図８（ｃ）（ｄ）のように、封筒の搬送方向が、ボトム部を搬送方向と略直交する方向に向けて搬送される設定でも、フラップ部に糊が付設されていない設定の場合、狭持搬送装置１００の圧接部のみで前処理を行う。
こうして上側ローラ１０２Ａ、下側ローラ１０２Ｂで封筒を上下から押圧することで、封筒Ｐとして折り畳まれた表裏の用紙における重なり部分の密着性を上げて、定着部に搬送する。
【００６３】
搬送経路における定着装置よりも上流側の狭持搬送装置１００で封筒に対してこうした前処理を行い、通紙することにより、特にボトム部が横向きの場合、封筒Ｐにおけるフラップ部の糊を手で簡単に剥がせるレベルまで軽微に貼り付けることができる。このことにより、封筒Ｐとして折り畳まれた表裏の用紙間のズレが無い状態で定着部に封筒Ｐを搬送することが可能となる。さらに折り畳まれた表裏の用紙における重なり部分の密着性を最適化でき、折り部分（フラップ部）を折り目に沿って綺麗に折ることが可能となる。
【００６４】
また、本実施形態の狭持搬送装置では、コントローラ部３０２が、入力された記録媒体の情報に基づいて回転数テーブルβ３１３、加熱テーブル３１４の両方の情報を参照して制御を行うことができる。すなわち、コントローラ部３０２が、上側ローラ１０２Ａの加熱手段であるハロゲンヒータ１０５と、上側駆動モータ３０４および下側駆動モータ３０５それぞれの回転数の微調整手段と、の両方を制御することができる。このため、各種封筒および搬送方向においても、封筒Ｐとして折り畳まれた表裏の用紙における重なり部分の密着性を上げて、定着部での圧接により発生するシワ、フラップズレなどを抑制することが可能となる。
【００６５】
また、所定の温度に加熱した狭持搬送装置に通すことにより、特にボトム部が横向きの封筒を通紙する場合であっても、封筒の折り部の密着性を上げて、定着部で発生させるシワ、フラップズレを抑制することができる。
【００６６】
なお、上述した実施形態では、上側ローラ１０２Ａ内部に加熱手段としてのヒータ１０５が配設されることとして説明したが、下側ローラ１０２Ｂ内部に配設する構成であってもよい。この場合にも、回転数テーブルβ３１３、加熱テーブル３１４をその構成に応じたものとすることで、上述した実施形態を同様に実現でき、同様の効果を得ることができる。
【００６７】
以上のように、本実施形態は、記録媒体が封筒である場合であっても、定着部での定着品質を低下させることなく、シワの発生を防止できる。
【００６８】
また、本実施形態による挟持搬送装置を備えた画像形成装置によれば、本実施形態の挟持搬送装置による各効果が得られる画像形成装置を提供することができる。このため、各種封筒への画像形成が好適にできる画像形成装置を提供することができる。
【００６９】
なお、これまで図面に示した実施形態について説明してきたが、本発明は図面に示した実施形態に限定されるものではなく、他の実施形態、追加、変更、削除など、当業者が想到することができる範囲内で変更することができる。いずれの態様においても本発明の作用・効果を奏する限り、本発明の範囲に含まれるものである。
【００７０】
上述した実施形態では、用紙が折り畳まれて表裏２枚の用紙が重ねられた構成である封筒Ｐを搬送する場合について説明したが、挟持搬送する封筒はこの構成に限定されず、任意の構成であってよい。例えば、用紙を３重以上に折り重ねて構成された封筒、用紙が他の折り重ね方や貼り合わせ方により構成された封筒、折り重ねた用紙に他の用紙が貼り合わせられた封筒などを搬送する場合であっても、本実施形態は同様に適用することができる。
また、封筒Ｐを構成する用紙も、例えば普通紙、各種のコート紙、フィルムなど、各種のシート状記録媒体を含み、また、それら材料を組み合わせた構成も含むこととする。
【符号の説明】
【００７１】
１００    挟持搬送装置
１０１    フレーム
１０２Ａ    上側ローラ
１０２Ｂ    下側ローラ
１０３Ａ，１０３Ｂ，１０４Ａ，１０４Ｂ    用紙ガイド
１０５    ハロゲンヒータ
１０６    温度センサ
１０７Ａ  ，１０７Ｂ    補助搬送ローラ
１０８    軸受
１０９    外側アーム
１１０    内側アーム
１１１    支点
１１２    軸受
１１３    カム
１１４    バネ部材
２００    画像形成装置
２００Ａ    画像形成部
２００Ｂ    給紙部
２０１    書き込み装置
２０２Ｙ，２０２Ｃ，２０２Ｍ，２０２Ｋ    帯電装置
２０３Ｙ，２０２Ｃ，２０２Ｍ，２０２Ｋ    現像装置
２０４Ｙ，２０４Ｍ，２０４Ｃ，２０４Ｋ    １次転写装置
２０５Ｙ，２０５Ｃ，２０５Ｍ，２０５Ｋ    感光体
２０６    定着装置
２０７    定着ローラ
２０８    加熱ローラ
２０８ｈ    ハロゲンヒータ
２０９    定着ベルト
２１０    加圧ローラ
２１３    中間転写ベルト
２１４    従動ローラ
２１５    二次転写ローラ
２１６    スタッカ
２１７    用紙搬送部
２２０    給紙トレイ
２２１    ピックローラ
２２２    搬送ローラ
３０１    操作表示部
３０２    コントローラ部
３０３    記憶部
３０４    上側駆動モータ
３０５    下側駆動モータ
３１１    回転数テーブルα
３１２    フラップ長さテーブル
３１３    回転数テーブルβ
３１４    加熱テーブル
Ｎ    定着ニップ部
Ｐ    封筒（記録媒体の一例）
Ｔ    トナー
【先行技術文献】
【特許文献】
【００７２】
【特許文献１】特開２００８−３２７６号公報
【特許文献２】特許第４６８１９１６号公報
【特許文献３】特開２００７−２１２５２６号公報
【図１】
2014219651.tif 000003
【図２】
2014219651.tif 000004
【図３】
2014219651.tif 000005
【図４】
2014219651.tif 000006
【図５】
2014219651.tif 000007
【図６】
2014219651.tif 000008
【図７】
2014219651.tif 000009
【図８】
2014219651.tif 000010